(57)【要約】【課題】電子レンジで加熱調理しても加熱により生じる包装体の内部圧力を逃がすことができ、かつ、袋内が汚染されることのない電子レンジ用の食品包装袋を提供すること。【解決手段】食品を包装すると共にそれを電子レンジで加熱する基材（１１）とシーラント層（１２）を積層した積層フィルム（１０）からなる背シール部（１５）を有する包装袋（１）において、背シール部（１５）は内層（２１）がイージーピール層で、外層（２２）がポリプロピレン樹脂層である少なくとも２層構成からなる積層フィルム（２３）をイージーピール層同士を対向させて、上端縁と下端縁をシールして筒状に形成させ、上下端にそれぞれ少なくとも２個以上のノッチ（ｎ）が刻設されたチューブ状テープ材（２０）が挟まれた状態で熱融着されている。【選択図】図１
2004323088.tif 000002
【特許請求の範囲】
【請求項１】
食品を包装するとともにそれを電子レンジで加熱する、基材とシーラント層を積層した積層フィルムからなる背シール部を有する包装袋において、前記背シール部は、内層がイージーピール層で、外層がポリプロピレン樹脂層である少なくとも２層構成からなる積層フィルムをイージーピール層同士を対向させて、上端縁と下端縁をシールして筒状に形成させ、上下端にそれぞれ少なくとも２個以上のノッチが刻設されたチューブ状テープ材が、挟まれた状態で熱融着されていることを特徴とする、電子レンジ用食品包装袋。
【請求項２】
前記チューブ状テープ材は、略半分が袋の内側に突出して熱融着されていることを特徴とする、請求項１記載の電子レンジ用食品包装袋。
【発明の詳細な説明】
【０００１】
【発明の属する技術分野】
本発明は、加熱して飲食する食品等を収納した包装袋に関するものであり、特には、レトルト殺菌処理も可能な電子レンジ用食品包装袋に関する。
【０００２】
【従来の技術】
従来、調理済のあるいは半調理済の食品等を耐熱性のプラスチックフィルムからなる包装袋に充填して、食する直前に電子レンジにより加熱調理する包装食品が提案されている。
【０００３】
しかし、この包装食品は、電子レンジにより加熱すると、加熱時に食品等から発生する蒸気圧等の内圧により、包装袋が破裂して内容物が飛散して、電子レンジ内部を汚染してしまう欠点があった。
【０００４】
このため、電子レンジ加熱する前に、あらかじめ、包装袋に、例えば、鋏等を用いて小さい孔等を開けて、前記包装袋内部の内圧の上昇を抑えて包装袋の破裂を防止していた。
【０００５】
しかしながらこの方法では、加熱後発生する水蒸気は、直ぐに包装袋の外に放出されてしまうため、水蒸気による蒸し調理効果が低減されるとともに包装袋内部の食品の乾燥が進行して、食品の劣化をきたす場合がある。
【０００６】
これらの問題点を解消すべく、例えば、図５に示すような、プラスチックフィルム（１０１）によりその同一面側を互いに当接させて、所定巾のヒートシールにより合掌状に接合する第一接合部（１０２）を設けて、その内部に加熱処理用の内容物（１０５）を密封包装させる包装体にあって、前記第一接合部（１０２）は、包装体の一方の側部に片寄せさせて設け、加熱による包装体の内部圧力が上昇したとき、その逃圧を行なう易開封性シールである加熱処理用包装体が提案されている（例えば、特許文献１参照）。
【０００７】
【特許文献１】
特開平９−１５０８６４号公報（図１）
【０００８】
しかし、この方法を採用しても、加熱後の状況を見ると、内容物の飛散が袋部に散見でき完全な方法とは言いがたい。
【０００９】
【発明が解決しようとする課題】
本発明は、上記した問題点を解決するためになされたもので、電子レンジで加熱調理しても、加熱により生ずる包装体の内部圧力を逃がすことができ、かつ、袋内が汚染されることのない電子レンジ用の食品包装袋を提供することを課題とする。
【００１０】
【課題を解決するための手段】
本発明の請求項１の発明は、食品を包装するとともにそれを電子レンジで加熱する、基材とシーラント層を積層した積層フィルムからなる背シール部を有する包装袋において、前記背シール部は、内層がイージーピール層で、外層がポリプロピレン樹脂層である少なくとも２層構成からなる積層フィルムをイージーピール層同士を対向させて、上端縁と下端縁をシールして筒状に形成させ、上下端にそれぞれ少なくとも２個以上のノッチが刻設されたチューブ状テープ材が、挟まれた状態で熱融着されていることを特徴とする、電子レンジ用食品包装袋である。
【００１１】
このように請求項１記載の発明によれば、背シール部は、内層がイージーピール層で、外層がポリプロピレン樹脂層である少なくとも２層構成からなる積層フィルムをイージーピール層同士を対向させて、上端縁と下端縁をシールして筒状に形成させ、上下端にそれぞれ少なくとも２個以上のノッチが刻設されたチューブ状テープ材が、挟まれた状態で熱融着されているので、包装袋を電子レンジ加熱すると、内容物である食品等から発生する蒸気圧等の内圧により、包装袋は膨張して背シール部は立ち上がり、背シール部に介在させたチューブ状テープ材が左右に引っ張られ、ついで、チューブ状テープ材の内層のイージーピール層間で剥離が開始され、内層が完全に剥離した後、蒸気はノッチを通して外部へ逃げていく。すなわち、効果的に蒸気を逃がし、内容物が急激に外に吐出することがない。
【００１２】
また、請求項２の発明は、請求項１の発明において、前記チューブ状テープ材は、略半分が袋の内側に突出して熱融着されていることを特徴とする、電子レンジ用食品包装袋である。
【００１３】
このように請求項２記載の発明によれば、チューブ状テープ材は、略半分が袋の内側に突出して熱融着されているので、袋が膨張して左右に引っ張られた際、引っ張りを中央で効果的に受け、チューブ状テープ材の層間（イージーピール層間）で剥離することができる。
【００１４】
【発明の実施の形態】
本発明の電子レンジ用食品包装袋を一実施形態に基づいて以下に詳細に説明する。
本発明の電子レンジ用食品包装袋は、例えば図１（ａ）、（ｂ）、（ｃ）に示すように、食品を包装するとともにそれを電子レンジで加熱する、基材（１１）とシーラント層（１２）を積層した積層フィルム（１０）からなる、背シール部（１５）を有する包装袋（１）である。
【００１５】
そして、背シール部（１５）は、背シール部全体にわたって、チューブ状のテープ材（２０）が挟まれた状態で熱融着されている。
【００１６】
背シール部全体にわたって挟まれているチューブ状のテープ材（２０）は、つぎに述べる様な構造を有するものである。
すなわち、内層（２１）がイージーピール層で、外層（２２）がポリプロピレン樹脂層である２層構成からなる積層フィルム（２３）をイージーピール層同士を対向させて、上端縁と下端縁とをシールしてチューブ状に形成させ、同時に、上下端にそれぞれ少なくとも２個以上のノッチ（ｎ）を刻設させた構造を有している。
【００１７】
あるいは、内層（２１）がイージーピール層で、外層（２２）がポリプロピレン樹脂層である２層構成からなる積層チューブ（２５）を平たく押し潰し、押し潰した積層チューブ（２５）の上端縁と下端縁にそれぞれ少なくとも２個以上のノッチ（ｎ）を刻設させた構造としても良い（図３（ａ）、（ｂ）参照）。
【００１８】
チューブ状のテープ材（２０）は、略半分を袋の内側に突出させるようにして、包装袋の背シール部（１５）へ挟み込むことが好ましい。
【００１９】
包装袋を構成する積層フィルムは、少なくとも基材（１１）とシーラント層（１２）を積層して構成される。
【００２０】
基材（１１）は、包装袋の基材となる層で、シート状またはフィルム状のものであって、ポリオレフィン（ポリエチレン、ポリプロピレン等）、ポリエステル（ポリエチレンテレフタレート、ポリブチレンテレフタレート、ポリエチレンナフレート等）、ポリアミド（ナイロン−６、ナイロン−６６、ポリイミドなど，あるいはこれらの高分子の共重合体など、通常包装材料として用いられる比較的耐熱性を有するプラスチックフィルムないしはシートが使用できる。
【００２１】
この基材（１１）には、例えば、帯電防止剤、紫外線吸収剤、可塑剤、滑剤、着色剤などの公知の添加剤を加えることができ、必要に応じて適宜添加される。
【００２２】
さらに基材（１１）の表面をコロナ放電処理、アンカーコート処理等の表面改質を行い、後記するシーラント層（１２）等との接着性を向上させることもできる。
【００２３】
また、必要に応じて、基材の表面または裏面に印刷層（図示せず）を形成させることができる。
【００２４】
ガスバリア性をアルミニウム箔なみに向上させるため、基材のプラスチックフィルムに、酸化アルミニウムや酸化ケイ素などの無機化合物の薄膜を物理蒸着あるいは化学蒸着などの蒸着法により２０〜１００ｎｍ程度の厚さに設けた無機化合物蒸着プラスチックフィルムを用いることもできる。
この場合のプラスチックフィルムとしては、延伸されたポリエステルフィルムが好ましく使用できる。
【００２５】
シーラント層（１２）は、ポリエチレン、ポリプロピレン、エチレン共重合体、飽和ポリエステルなど熱融着性のある樹脂であれば使用できるが、レトルト殺菌適性等を考慮すると、ポリプロピレン樹脂がより好ましく使用できる。
【００２６】
落下強度、突き刺し強度やガスバリア性を向上させる必要がある場合、図２に示すように、基材（１１）とシーラント層（１２）の間に中間層（１３）を介在させることができる。
中間層（１３）としては、例えば、ナイロンフィルム、ポリエステルフィルム等が好ましく使用できる。また、この中間層には、酸化ケイ素、酸化アルミニウム等の無機化合物の蒸着層を含んでも良い。
【００２７】
基材（１１）とシーラント層（１２）、あるいは、基材（１１）と中間層（１３）、中間層（１３）とシーラント層（１２）の貼り合わせは、例えば、二液反応型のポリウレタン樹脂系接着剤を使用したドライミネート法等の公知のラミネート方法を用いて容易に行うことができる。
【００２８】
こうして作製した電子レンジ用食品包装袋（内容物入り）を背シール部のある面を上面になるようにして電子レンジに入れて調理加熱すると、図３に示すように、先ず、袋の膨張によりチューブ状テープ材（２０）をシールした背シール部分（１５）が左右に引っ張られる（図４（ａ）参照）。
【００２９】
ついで、チューブ状テープ材（２０）の内層のイージーピール層（２１、２１）同士で剥離が開始される（（図４（ｂ）参照）。内層（２１）が完全に剥離した後、チューブ状テープ材（２０）に設けられたノッチ（ｎ）から内圧の蒸気が外に抜ける（図４（ｃ）参照）。
【００３０】
すなわち、チューブ状テープ材（２０）が膨らんでトンネル状になるため、中身が急激に外に吐出することがないので電子レンジ内部を汚すことがない（図４（ｄ）参照）。
【００３１】
【実施例】
以下実施例により本発明を詳細に説明する。
〈実施例１〉
基材（１１）として酸化ケイ素の薄膜を６００ｎｍ程度の厚さに設けた二軸延伸ポリエチレンテレフタレートフィルム（厚さ１２μｍ）を、シーラント層（１２）として厚さ５０μｍの未延伸ポリプロピレンフィルムを、また、中間層（１３）として厚さ２５μｍのナイロンフィルムをそれぞれ準備した。
【００３２】
ついで、二液反応型のポリウレタン樹脂系接着剤を用いて，ドライラミネート法により、基材（１１）／中間層（１３）／シーラント層（１２）の三層構成からなる積層フィルム（１０）を作製した。
【００３３】
別に、ポリプロピレン樹脂（厚さ５０μｍ）（２２）／イージーピール層（厚さ３０μｍ）（２１）の複合構成からなる直径１０ｍｍのチューブを共押し出し法により作製し、できたチューブを押し潰して上端縁と下端縁をシールし、幅が２０ｍｍのチューブ状のテープ材（２０）とした。なお、イージーピール層樹脂は、ポリプロピレン樹脂をマトリックス樹脂としたものである。
【００３４】
なお、このチューブ状のテープ材（２０）には、上端縁と下端縁に適宜の間隔で幅５ｍｍ、奥行き３ｍｍのＶ字状のノッチ（ｎ）を入れた（図２参照）。
【００３５】
先に作製した積層フィルム（１０）から縦；１８０ｍｍ、横；１２０ｍｍの中央に背シール部（１５）を有する三方シール袋を、背シール部にチューブ状のテープ材（２０）を袋の内側に１０ｍｍ程度突出させる状態で挟み込んで、公知の製袋機を用いて作製し、実施例１の電子レンジ用食品包装袋とした。なお、各シール幅は１０ｍｍである。
また、この三方シール袋には、水が充填されている。
【００３６】
〈比較例１〉
基材として酸化ケイ素の薄膜を６００ｎｍ程度の厚さに設けた二軸延伸ポリエチレンテレフタレートフィルム（厚さ１２μｍ）を、シーラント層として厚さ４０μｍの未延伸ポリプロピレンフィルムを、また、中間層として厚さ１５μｍのナイロンフィルムをそれぞれ準備した。
【００３７】
ついで、実施例１と同様に、二液反応型のポリウレタン樹脂系接着剤を用いて、ドライラミネート法により、基材／中間層／シーラント層の三層構成からなる積層フィルムを作製した。
【００３８】
この積層フィルムから縦；１８０ｍｍ、横；１２０ｍｍで、袋の端縁近傍に背シール部を有する、図５に示すような三方シール袋を公知の製袋機を用いて作製し、比較例１の電子レンジ用食品包装袋とした。なお、各シール幅は実施例１と同様に１０ｍｍとした。
また、三方シール袋には水が充填されている。
【００３９】
このようにして作製した実施例１種類、比較例１種類、合計２種類の電子レンジ用食品包装袋の電子レンジ加熱適性を確認するため、背シール部のある面を上向きに横置きして、家庭用電子レンジ（出力；１２００ワット）に入れ、３分間加熱し、包装袋内から発生する蒸気の抜け状態及び内容物の袋内部への飛散状態を目視観察した。その結果を表１に示す。
【００４０】
【表１】
2004323088.tif 000003
【００４１】
表１から判るように、背シール部分に易剥離性を有するチューブ状テープ材を挟んだ電子レンジ包装袋は、電子レンジ加熱して包装体内の内圧が上昇しても、テープ材が剥離してトンネル状になり、袋が破裂したり、内容物が飛散したりすることがなく、従って電子レンジ内部を汚すこともない。
【００４２】
【発明の効果】
上記のように、本発明の電子レンジ用食品包装袋は、電子レンジにチューブ状テープ材を挿入した背シール部を上面になるように設置し、調理加熱すると、蒸気抜きを効率良くすることができ、破袋することがなく、また、チューブ状であるために内容物が飛散することがない。
【図面の簡単な説明】
【図１】本発明の電子レンジ用食品包装袋の一実施例を示す、（ａ）は平面説明図であり、（ｂ）は（ａ）のＡ−Ａ’線断面説明図であり、（ｃ）は（ｂ）のＢ部拡大説明図である。
【図２】本発明の電子レンジ用食品包装袋の別の実施例における，図１（ｃ）と同様のＢ部拡大説明図である。
【図３】本発明の電子レンジ用食品包装袋に使用するチューブ状フィルムの一実施例を示す、（ａ）は平面説明図であり、（ｂ）は（ａ）のＡ−Ａ’線断面説明図である。
【図４】（ａ）〜（ｄ）は、本発明の電子レンジ用食品包装袋を電子レンジ加熱した際に、袋内の内圧が高まって水蒸気が外部に抜けて行く状態を模式的に示した説明図である。
【図５】従来の電子レンジ用食品包装袋の一例を示す、説明図である。
【符号の説明】
１‥‥包装袋
１０‥‥積層フィルム
１１‥‥基材
１２‥‥シーラント層
１３‥‥中間層
１５‥‥背シール部
２０‥‥チューブ状テープ材
２１‥‥内層
２２‥‥外層
２３‥‥積層フィルム
２５‥‥積層チューブ
ｎ‥‥ノッチ
１０１‥‥プラスチックフィルム
１０２‥‥第１接合部
１０５‥‥内容物
【図１】
2004323088.tif 000004
【図２】
2004323088.tif 000005
【図３】
2004323088.tif 000006
【図４】
2004323088.tif 000007
【図５】
2004323088.tif 000008